(57)【要約】【課題】平瓦の働き長さを増加させても差込部における雨水の逆流が生じないとともに、複数枚の平瓦を積み重ねた際にコンパクトな梱包形態となる平瓦を提供する。【解決手段】降雨を受ける露出面Ｅより高い段差状の尻部水返し部２を尻部Ｂに有する平瓦１を製造して、その平瓦の側部に前記露出面より低い段差状の差込部Ｃを形成する。そして、その差込部の前記尻部寄り部位Ｃ１に該差込部の他の部位Ｃ２より高い段差１３を設けて、平瓦同士が隣接して形成される隙間から前記差込部に雨水が流れ込んでも、その雨水が尻部側に逆流しないようにする。さらに前記尻部寄りの裏面側部位に、同部位を所定量切り欠いた切欠き１７を設けて、複数枚の平瓦を積み重ねて梱包するとき、平瓦同士が不自然な干渉を起こさないようにする。【選択図】図１
2006188900.tif 000002
【特許請求の範囲】
【請求項１】
降雨を受ける露出面（Ｅ）より高い段差状の尻部水返し部（２）を尻部（Ｂ）に有する平瓦（１）において、その側部に前記露出面より低い段差状の差込部（Ｃ）を形成するとともに、その差込部の尻部寄り部位（Ｃ１）に該差込部の他の部位（Ｃ２）より高い段差（１３）を設けたことを特徴とする平瓦。
【請求項２】
降雨を受ける露出面（Ｅ）より高い段差状の尻部水返し部（２）を尻部（Ｂ）に有する平瓦（１）において、その側部に前記露出面より低い段差状の差込部（Ｃ）を形成するとともに、その差込部の尻部寄り部位（Ｃ１）に該差込部の他の部位（Ｃ２）より高い段差（１３）を設け、さらに前記尻部寄りの裏面側部位に、同部位を所定量切り欠いた切欠き（１７）を設けたことを特徴とする平瓦。
【請求項３】
前記平瓦（１）の頭部（Ａ）上面を頭帯状垂下壁（６）の厚みより広く、所定の深さで切り欠いた頭上面切り欠き部（６ａ）を設けたことを特徴とする請求項１または請求項２記載の平瓦。
【発明の詳細な説明】
【技術分野】
【０００１】
本発明は、降雨を受ける露出面が平らな平瓦、特に暴風雨に曝されても吹き飛ばされない構造をしている防災型平瓦に関するものである。
【背景技術】
【０００２】
従来、図１２に示す構造の防災型平瓦（以下、平瓦という）は公知である（特開２０００−２９１２０８号公報）。すなわち、前記平瓦１は、降雨を受ける露出面Ｅより高い段差状の尻部水返し２を尻部Ｂに有するとともに、その水返し部２の略中央に後述する他の平瓦が係止される係止突起３を備えている。さらに前記平瓦１において一つの側部には前記露出面Ｅより僅かに低い段差状の差込部Ｃが形成されているとともに、同じく平瓦１において他の側部には前記露出面Ｅより僅かに高い段差状の桟部Ｄが形成されている。また、前記平瓦１において前記尻部Ｂの背面側に当たる頭部Ａの端面は僅かに垂れ下がっている。
【０００３】
このような構造を有する複数枚の平瓦１を建物の傾斜した屋根の野地板上に葺く場合、まず同一段においては、前記平瓦１の差込部Ｃに他の平瓦（図示しないが、第二平瓦と称する）の桟部を重ねることにより、前記平瓦１に対して第二平瓦が隣接して葺かれる。また、上段斜め位置に前記平瓦１に隣接して同様に葺かれる他の平瓦、すなわち、第三平瓦は、その差込部に形成されている被係止部（図１２の平瓦１の差込部Ｃの頭部Ａ寄り部位において符号４を以って示す被係止部に当たる要素）を前記平瓦１の係止突起３に係止させた状態で、前記平瓦１に対して、いわゆる千鳥葺きされる。
【特許文献１】特開２０００−２９１２０８号公報
【発明の開示】
【発明が解決しようとする課題】
【０００４】
上記構造の平瓦１は暴風雨に曝されても斜め方向の平瓦同士が係合しているので、吹き飛ばされないという優れた効果を発揮しているが、さらに次の点においてなお改良の余地がある。
【０００５】
第一に、前記尻部水返し２の幅Ｗをより狭くして、露出面Ｅの長さを相対的に大きくすることにより、平瓦１が野地板上に葺かれて屋根を形成したとき、１枚当たりの平瓦１が降雨を受ける露出面Ｅの長さ、すなわち働き長さLを増加させ、ひいては傾斜面に葺かれる平瓦の葺設段数を少なくすることであり、第二に複数枚積み重ねて梱包するときの重ね幅を小さくすることにより複数の平瓦をコンパクトに梱包し、輸送効率を上げ、かつ、輸送時の割れや欠けを防止することである。
【０００６】
そこで、本発明者は上記の改良を試みたところ、前記差込部Ｃの尻部寄りにおける雨水の逆流を従来技術に係る平瓦より抑制する必要があるという事実を見出し、本発明を完成した。従って、本発明は、暴風雨に対する抵抗を少なくするとともに、平瓦の働き長さを増加させても差込部における雨水の逆流が生じない平瓦を提供することにある（第一の課題）。さらに前記第一の課題を解決可能な平瓦を複数枚積み重ねて梱包するとき、平瓦同士が不自然な干渉を起こして梱包された平瓦積み重ね体が嵩張らないように平瓦の形状を改良することにある（第二の課題）。
【課題を解決するための手段】
【０００７】
本発明は前記第一の課題を解決するために、降雨を受ける露出面より高い段差状の水返し部を尻部に有する平瓦の側部に前記露出面より低い段差状の差込部を形成するとともに、その差込部の尻部寄り部位に該差込部の他の部位より高い段差を設けるという手段を採用する。この手段を採用することにより、平瓦の働き長さに対する尻部水返しの幅を従来の平瓦に比較して相対的に短くしたことに起因して、前記平瓦と、同一段において隣接して葺かれる平瓦、すなわち第二平瓦との間から前記差込部に雨水が幾分多く流れ込んで、その雨水が該差込部の尻部側に逆流しようとしても、前記段差によりその逆流が阻止される（作用）。
【０００８】
さらに本発明は前記第二の課題を解決するために、降雨を受ける露出面より高い段差状の水返し部を尻部に有する平瓦の側部に前記露出面より低い段差状の差込部を形成するとともに、その差込部の前記尻部寄りの表面側部位を該差込部の他の表面側部位より高い段差を形成し、さらに前記尻部寄りの裏面側部位を所定量切り欠いて同部位に切欠きを形成するという手段を採用する。この手段を採用することにより、この発明に係る平瓦を複数枚上下に重ねて梱包するとき、前記尻部寄りの裏面側部位に形成された切欠部に、下位に積まれた平瓦の尻部水返しの一部分が入り込む（作用）。
【発明の効果】
【０００９】
本発明に係る平瓦は、暴風雨に対する抵抗が少ないのでより効果的な防災性能を発揮するのみならず、平瓦の働き長さを尻部水返しの幅に対して相対的に増加させたため、有効面積が増加するだけでなく、屋根面の流れ方向に対して施工する段数が減少するため、施工効率を向上させ、材料費及び施工費を削減するという効果を発揮する。その平瓦とそれに隣接する他の平瓦との間に形成される隙間から前者の差込部に幾分多くの雨水が流れ込んだとしても、その雨水を尻部側に漏水させることがないという効果を発揮するとともに、また、複数枚の平瓦を梱包して輸送するとき、平瓦間には上下に無駄な空間を形成することなく不自然な干渉を起こさせることなく複数枚の平瓦をコンパクトに梱包できるため、輸送効率を向上させ、かつ、輸送時の割れや欠けを防止するという効果を発揮する。
【発明を実施するための最良の形態】
【００１０】
次に図面を参照しながら、本発明の最も好ましい実施形態について詳述する。図１〜図６に示すように、本発明に係る平瓦１は、降雨を受ける露出面Ｅが略正長方形状をなしているとともに、その露出面Ｅより高い段差状の尻部水返し２を尻部Ｂに有し、さらに平瓦１の一側部そのものが前記露出面Ｅより低い段差状の差込部Ｃになっている。そして、前記尻部Ｂの背面側に当たる頭部Ａの端面は帯状垂下壁６になって、その一段下に隣接して葺かれる他の平瓦の露出面に当接し、その尻部水返しに雨水が浸入するのを阻止している。また、頭部Ａの上面は帯状垂下壁６の厚みより広く、所定の深さで切り欠いた頭上面切り欠き６ａが、複数枚上下に重ねて梱包するときに帯状垂下壁６を収納することにより、重ね幅を小さくし複数枚の平瓦をコンパクトに梱包出来るようになっている。
【００１１】
前記尻部水返し２は、従来技術と同様の係止突起３や屋根の葺設時に野地板上に配置固定された桟木７に平瓦１を係止するための係止片８を嵌入可能な嵌入凹部９を備えているとともに、前記桟木７に平瓦１を固定するために打ち込まれる釘穴１０を備えており、これらの要素を除いて全体的に帯状平面形状をなしている。
【００１２】
本発明は、平瓦１の前記露出面Ｅの働き長さＬを公知の平瓦のそれより大きくして、屋根に葺かれる平瓦の段数をより少なくする。平瓦の通常働き長さは、JIS A 5208のＦ形寸法にある280mmに対し、前記働き長さＬは、好ましくは280mmの約一割程度長い300〜305mmとする。
【００１３】
次に、前記差込部Ｃにおいて鉤形をなす外縁部には突条の外側水返し１１が、前記尻部Ｂから頭部Ａまで前記外縁部に沿って延びている。しかしながら、前記外側水返し１１は、前記頭部Ａ側においては平瓦１の内方側に若干屈曲して、従来技術と同様に差込部Ｃに被係止部４が形成されるようになっているとともに、その被係止部４に対して雨水が浸入するのを阻止している。さらに前記差込部Ｃにおいて前記外側水返し１１に対して所定間隔をおいて平行に突条の内側水返し１２が形成され、差込部Ｃに浸入した雨水は二重に水返しされ、平瓦１の外方に漏洩しないようにしている。
【００１４】
さらに前記差込部Ｃにおいて前記尻部Ｂ寄りの尻部側部位Ｃ１には、同じく差込部Ｃの他の部位、すなわち頭部側部位Ｃ２より高い段差１３が形成されており、少なくとも前記頭部側部位Ｃ２に流下した雨水が逆流するのを阻止するようになっている。なお、前記内外側水返し１１、１２も前記二つの部位Ｃ１、Ｃ２と同様にそれらの途中で段差を形成している。
【００１５】
次に、図７及び図８に示すように、前記露出面Ｅを構成する平瓦１の主要部Ｍの裏面には４本の突条のリブ１４が所定の間隔をおいて尻部Ｂから頭部Ａにかけて延びて、前記主要部Ｍを補強している。また平瓦１の桟部Ｄは、前記主要部Ｍの厚みｄ１より薄い厚みｄ２を有しているが、この桟部Ｄにもリブ１５が存在するので、桟部Ｄに対する物理的補強がされるようになっている。
【００１６】
また、平瓦１の尻部Ｂにおいて尻部水返し２の裏面側には、正面がＶ字形をなす係止片８が平瓦の裏面に突出形成されており（図４を参照）、図９に示すように、平瓦１の葺設時に屋根を構成する下地材としての野地板１６上に所定間隔をおいて桟木７を配列・固定し、その桟木７に前記係止片８を係止させれば、平瓦１は野地板１６上に配置可能になる。
【００１７】
さらに、前記差込部Ｃにおいて尻部Ｂ寄りの裏面には、図１、図５、図６、図７及び図９に示すように、裏面側部位を所定量切り欠いた切欠き１７が同部位に形成されており、図１０に示すように平瓦１を複数枚上下に積み重ねたとき、図１１に示すように、下位に積まれた平瓦の尻部水返しの一部分がその切欠き１７に収まるため、尻部Ｂにおいて各平瓦１同士が不自然な干渉を起こしたり、それらの間に無駄な空間が形成されたりしないようになっている。
【００１８】
以上詳述した構造を有する本発明に係る平瓦１は、次のような作用・効果を発揮する。図２及び図４に示すように、まず、野地板上の桟木７に平瓦１の係止片８を係止するとともに釘穴１０に釘（図示なし）を差し込んで平瓦１を桟木７に固定する。次いで、前記平瓦１の差込部Ｃに前記平瓦１と同様の形状・構造を有する第二平瓦２１の桟部Ｄを重ねるとともにその係止片８を桟木７に係止させ、第二平瓦２１を桟木７に固定する。以下、同様に同一段の平瓦の葺設をする。
【００１９】
次に、このように葺かれた平瓦の上段に固定されている桟木７に平瓦１と同様の形状・構造を有する第三平瓦３１を係止させるとともに、その平瓦３１の被係止部４を第二平瓦２１の係止突起３に差し込んで係止させる。そして第三平瓦３１を第二平瓦２１と同様に桟木７に固定する。以降、同様の要領で第三平瓦３１の横に隣接する平瓦の葺設を行なうとともに、さらにその上段の桟木に対しても平瓦の固定をすることにより、平瓦で建物の屋根を葺く。
【００２０】
このようにして形成された屋根において平瓦１、第二平瓦２１、第三平瓦３１等の働き長さＬが従来技術に係る平瓦のそれより大きいので、働き長さＬが増加した合計分が１個の平瓦１の働き長さＬに達したとき、従来の平瓦で屋根を構成する場合より１段少ない段数の平瓦の葺設が可能になる。その結果、本発明に係る平瓦は、屋根の施工コストをより低減させるという効果を発揮する。
【００２１】
また、本発明に係る平瓦１において、頭部Ａの上面に帯状垂下壁６の厚みより広く、所定の深さで切り欠いた頭上面切り欠き６ａが、複数枚上下に重ねて梱包するときに帯状垂下壁６を収納することにより、重ね幅を小さくし複数枚の平瓦をコンパクトに梱包出来るため、輸送効率が向上し、かつ、輸送時の割れや欠けなどの破損を防止することが出来る。
【００２２】
さらに本発明に係る平瓦１においては、露出面Ｅから上方に突出する桟部Ｄ等が存在しないため、隣接する平瓦１の主要部Ｍ同士が当接する隙間に雨水の侵入を抑制する分水効果が減少して、前記隙間から差込部Ｃにより雨水が流れ込み易くなるが、差込部Ｃにはその尻部側部位Ｃ１が頭部側部位Ｃ２より高く段差１３が存在するので、雨水が平瓦１の尻部Ｂ側に逆流するのを前記段差１３が阻止する。
【００２３】
本発明に係る平瓦１の頭部Ａに帯状の垂下壁６を存在させたので、この垂下壁６が下段に葺かれた平瓦の略帯状の尻部水返し２を略完全遮蔽して、雨水が尻部水返し２側に浸入するのを抑制する。
【００２４】
本発明に係る平瓦１の差込部Ｃの裏面側部位に所定の切欠き１７を形成したので、複数枚の平瓦１を重ね上げて平瓦１同士の不自然な干渉が生じてもその干渉を前記切欠き１７が吸収するので、複数枚の平瓦１をコンパクトに梱包できるため、輸送効率が向上し、かつ、割れや欠けなどの破損を防止することが出来る。
【００２５】
本発明はその根本的技術思想を踏襲し発明の効果を著しく損なわない限度において、前記の実施形態の一部分を変更して実施することができる。例えば、本発明に係る平瓦の働き長さＬと尻部水返し２の幅Ｗとの相対的割合を設計により任意に決定し、その平瓦を寄棟型屋根の瓦に利用することができる。この態様においては１枚の平瓦を斜め４５度の位置で半割りにして、それらを棟瓦の下に葺設する頭上面切り欠き部６Ａを円弧面、または、斜面形状にすることができる。
【産業上の利用可能性】
【００２６】
本発明に係る平瓦は、和洋いずれの建物の防災瓦、特に降雨を受ける露出面の働き長さを従来技術に係る平瓦のそれより大きくして平瓦を葺設する建築分野、または屋根に新しいデザインを施こそうとする建築分野に広く利用できる。
【図面の簡単な説明】
【００２７】
【図１】本発明に係る平瓦の斜視図である。
【図２】その平瓦を葺設した状態を示す部分斜視図である。
【図３】同平瓦の正面図である。
【図４】同じく平面図である。
【図５】左側面図である。
【図６】右側面図である。
【図７】背面図である。
【図８】図７のＸ―Ｘ方向矢視方向の断面図である。
【図９】前記平瓦を葺設した状態を示す部分側面図である
【図１０】複数枚の平瓦を積み重ねた状態を示す平面図である。
【図１１】同じく側面図である。
【図１２】従来技術に係る平瓦の斜視図である。
【符号の説明】
【００２８】
１    （防災型）平瓦
２    尻部水返し
３    係止突起
４    被係止部
５    桟部水返し
６    垂下壁
６ａ    頭上面切り欠き部
７    桟木
８    係止片
９    嵌入凹部
１０    釘穴
１１    外側水返し
１２    内側水返し
１３    段差
１４    リブ
１５    リブ
１６    野地板
１７    切欠き
２１    第二平瓦
３１    第三平瓦
Ａ    頭部
Ｂ    尻部
Ｃ    差込部
Ｃ１    尻部側部位
Ｃ２    頭部側部位
Ｄ    桟部
Ｅ    露出面
Ｌ    働き長さ
Ｍ    主要部
Ｓ    横幅
Ｗ    幅
ｄ１    厚み
ｄ２    厚み
【図１】
2006188900.tif 000003
【図２】
2006188900.tif 000004
【図３】
2006188900.tif 000005
【図４】
2006188900.tif 000006
【図５】
2006188900.tif 000007
【図６】
2006188900.tif 000008
【図７】
2006188900.tif 000009
【図８】
2006188900.tif 000010
【図９】
2006188900.tif 000011
【図１０】
2006188900.tif 000012
【図１１】
2006188900.tif 000013
【図１２】
2006188900.tif 000014